(57)【要約】【課題】アナログ放送のみか、デジタル放送のみか、アナログ放送が多いか、デジタル放送が多いかの地域の放送状況に応じて、タイマ部の時刻設定を行うためのオートクロックを実施することができる放送受信装置を提供する。【解決手段】登録されるアナログチャンネル数はカウントされてメモリに記憶される。アナログ放送局に対するオートチャンネルサーチが終了すると、登録されるデジタルチャンネル数はカウントされてメモリに記憶される。デジタル放送局に対するオートチャンネルサーチが終了すると、アナログチャンネル数がデジタルチャンネル数以上であるか否かが判定される。アナログチャンネル数がデジタルチャンネル数以上であると判定されたとき、アナログ放送信号に含まれる時刻情報に従ってタイマ部の時刻設定を行うためのオートクロックが実施される。これにより、タイマ部には現在の時刻が設定される。【選択図】図３
2009077229.tif 000002
【特許請求の範囲】
【請求項１】
選局指示されたアナログテレビジョン放送局からのアナログ放送信号を受信するアナログチューナと、選局指示されたデジタルテレビジョン放送局からのデジタル放送信号を受信するデジタルチューナと、前記アナログチューナへのチャンネル登録をオートチャンネルサーチで行うアナログチャンネル登録手段と、前記デジタルチューナへのチャンネル登録をオートチャンネルサーチで行うデジタルチャンネル登録手段と、を備えた放送受信装置において、
前記登録されるアナログチャンネル数をカウントしてメモリに記憶させるアナログチャンネル数記憶手段と、
前記登録されるデジタルチャンネル数をカウントして前記メモリに記憶させるデジタルチャンネル数記憶手段と、
前記メモリに記憶されたアナログチャンネル数と前記メモリに記憶されたデジタルチャンネル数とを比較するチャンネル数比較手段と、
前記比較により、前記メモリに記憶されたアナログチャンネル数が前記メモリに記憶されたデジタルチャンネル数を超えると判定されたとき、アナログ放送信号に含まれる時刻情報に従って前記タイマ部の時刻設定を行うためのオートクロックを実施し、前記メモリに記憶されたアナログチャンネル数が前記メモリに記憶されたデジタルチャンネル数未満であると判定されたとき、デジタル放送信号に含まれる時刻情報に従って前記タイマ部の時刻設定を行うためのオートクロックを実施し、前記メモリに記憶されたアナログチャンネル数と前記メモリに記憶されたデジタルチャンネル数とが同じであると判定されたとき、アナログ放送信号またはデジタル放送信号に含まれる時刻情報に従って前記タイマ部の時刻設定を行うためのオートクロックを実施するオートクロック実施手段と、を備えたことを特徴とする放送受信装置。
【請求項２】
アナログ放送におけるタイマ部の時刻設定は、オートチャンネルサーチで登録されたチャンネルのうちで時刻情報が含まれる何れかのチャンネルでのアナログ放送信号に含まれる時刻情報に従って行われることを特徴とする請求項１に記載の放送受信装置。
【請求項３】
デジタル放送におけるタイマ部の時刻設定は、オートチャンネルサーチで登録されたチャンネルのうちで時刻情報が含まれる何れかのチャンネルでのデジタル放送信号に含まれる時刻情報に従って行われることを特徴とする請求項１に記載の放送受信装置。
【発明の詳細な説明】
【技術分野】
【０００１】
本発明は、アナログチューナとデジタルチューナとを備えた放送受信装置に関し、特に、タイマ部に現在時刻を設定するオートクロックを実施するための処理に関する。
【背景技術】
【０００２】
テレビジョン受像機、光ディスク記録再生装置（ＤＶＤレコーダ、ＢＤレコーダなど）、ハードディスクレコーダなどに備えられている放送受信装置は、タイマ部に現在時刻を設定する機能を有している。そして、放送受信装置では、タイマ部に現在時刻を設定するため、先ず、アナログ放送局に対するオートチャンネルサーチを実行し、このオートチャンネルサーチが終了すると、アナログ放送信号に含まれる時刻情報に従ってタイマ部の時刻設定を行うためのオートクロックを実施する。次に、デジタル放送局に対するオートチャンネルサーチを実行し、このオートチャンネルサーチが終了すると、デジタル放送信号に含まれる時刻情報に従ってタイマ部の時刻設定を行うためのオートクロックを実施する。
【特許文献１】特開２００６−０９４３５８号公報
【特許文献２】特開２００５−２３３７５０号公報
【特許文献３】特開２００２−１６８９７７号公報
【特許文献４】特開２００２−１０７４７５号公報
【特許文献５】特開２０００−１３１４７１号公報
【発明の開示】
【発明が解決しようとする課題】
【０００３】
従来の放送受信装置では、前述したように、アナログ放送局に対するオートチャンネルサーチを実行し、このオートチャンネルサーチが終了すると、アナログ放送信号に含まれる時刻情報に従ってタイマ部の時刻設定を行うためのオートクロックを実施し、次に、デジタル放送局に対するオートチャンネルサーチを実行し、このオートチャンネルサーチが終了すると、デジタル放送信号に含まれる時刻情報に従ってタイマ部の時刻設定を行うためのオートクロックを実施しているので、オートクロックに要する時間が多くかかる。
【０００４】
また、従来の放送受信装置においては、アナログ放送しか受信できない地域のユーザは、アナログ放送でオートクロックを行う方を選択する必要があり、デジタル放送しか受信できない地域のユーザは、アナログ放送でオートクロックを行う方を選択する必要がある。また、アナログ放送が多くてデジタル放送が少ない地域のユーザは、アナログ放送でオートクロックを行う方が良いので、アナログ放送でオートクロックを行う方を選択し、逆に、デジタル放送が多くてアナログ放送が少ない地域のユーザは、デジタル放送でオートクロックを行う方が良いので、デジタル放送でオートクロックを行う方を選択する。しかし、そのような選択は、ユーザにとっては面倒であった。
【０００５】
なお、特許文献１の従来技術は、任意に時刻設定が可能なタイマ部と、デジタル放送から時間情報を入手する時間情報入力手段と、前記入手した時間情報に基づいてアナログ放送の受信時に前記時間情報に基づく時計表示を行わせるようにしているが、アナログ放送のみか、デジタル放送のみか、アナログ放送が多いか、デジタル放送が多いかの地域の放送状況に応じて、タイマ部の時刻設定を行うためのオートクロックを実施することについては開示されていない。
【０００６】
特許文献２の従来技術は、受信可能なチャンネルをサーチして時刻データ抽出処理を実行し、そのサーチしたチャンネルにおいて時刻データが存在しない場合には、そのチャンネルにおける時刻データ抽出処理を終了するようにしているが、アナログ放送のみか、デジタル放送のみか、アナログ放送が多いか、デジタル放送が多いかの地域の放送状況に応じて、タイマ部の時刻設定を行うためのオートクロックを実施することについては開示されていない。
【０００７】
特許文献３の従来技術は、オートチャンネルサーチに際して、検出された有局のチャンネルが時刻情報を有するチャンネルであるか否かを判定し、時刻情報を有する場合には、当該チャンネルの情報を特定チャンネルメモリに格納するようにしているが、アナログ放送のみか、デジタル放送のみか、アナログ放送が多いか、デジタル放送が多いかの地域の放送状況に応じて、タイマ部の時刻設定を行うためのオートクロックを実施することについては開示されていない。
【０００８】
特許文献４の従来技術は、全てのメモリチャンネルについてスキャンが終了したと判断したときには、ＲＡＭに記憶した時刻情報の中から最も進んでいる時刻情報が重畳されていたチャンネルを選択し、当該選択されたチャンネルを改めて選択し、当該チャンネルの放送電波から時刻情報を抽出してタイマ時刻を合わせるようにしているが、アナログ放送のみか、デジタル放送のみか、アナログ放送が多いか、デジタル放送が多いかの地域の放送状況に応じて、タイマ部の時刻設定を行うためのオートクロックを実施することについては開示されていない。
【０００９】
特許文献５の従来技術は、デジタル放送とアナログ放送に対して、内部時計の基準時刻情報を統一できるようにしているが、アナログ放送のみか、デジタル放送のみか、アナログ放送が多いか、デジタル放送が多いかの地域の放送状況に応じて、タイマ部の時刻設定を行うためのオートクロックを実施することについては開示されていない。
【００１０】
本発明は、上記のような課題を解決するためになされたもので、アナログ放送のみか、デジタル放送のみか、アナログ放送が多いか、デジタル放送が多いかの地域の放送状況に応じて、タイマ部の時刻設定を行うためのオートクロックを実施することができる放送受信装置を提供することを目的とする。
【課題を解決するための手段】
【００１１】
上記目的を達成するために、請求項１の発明は、選局指示されたアナログテレビジョン放送局からのアナログ放送信号を受信するアナログチューナと、選局指示されたデジタルテレビジョン放送局からのデジタル放送信号を受信するデジタルチューナと、前記アナログチューナへのチャンネル登録をオートチャンネルサーチで行うアナログチャンネル登録手段と、前記デジタルチューナへのチャンネル登録をオートチャンネルサーチで行うデジタルチャンネル登録手段と、を備えた放送受信装置において、前記登録されるアナログチャンネル数をカウントしてメモリに記憶させるアナログチャンネル数記憶手段と、前記登録されるデジタルチャンネル数をカウントして前記メモリに記憶させるデジタルチャンネル数記憶手段と、前記メモリに記憶されたアナログチャンネル数と前記メモリに記憶されたデジタルチャンネル数とを比較するチャンネル数比較手段と、前記比較により、前記メモリに記憶されたアナログチャンネル数が前記メモリに記憶されたデジタルチャンネル数を超えると判定されたとき、アナログ放送信号に含まれる時刻情報に従って前記タイマ部の時刻設定を行うためのオートクロックを実施し、前記メモリに記憶されたアナログチャンネル数が前記メモリに記憶されたデジタルチャンネル数未満であると判定されたとき、デジタル放送信号に含まれる時刻情報に従って前記タイマ部の時刻設定を行うためのオートクロックを実施し、前記メモリに記憶されたアナログチャンネル数と前記メモリに記憶されたデジタルチャンネル数とが同じであると判定されたとき、アナログ放送信号またはデジタル放送信号に含まれる時刻情報に従って前記タイマ部の時刻設定を行うためのオートクロックを実施するオートクロック実施手段と、を備えたことを特徴とする放送受信装置を提供する。
【００１２】
この構成においては、アナログチャンネル数記憶手段は、アナログチャンネル登録手段により登録されるアナログチャンネル数をカウントしてメモリに記憶させる。そして、アナログ放送局に対するオートチャンネルサーチが終了すると、デジタルチャンネル数記憶手段は、デジタルチャンネル登録手段により登録されるデジタルチャンネル数をカウントしてメモリに記憶させる。そして、デジタル放送局に対するオートチャンネルサーチが終了すると、チャンネル数比較手段は、メモリに記憶されたアナログチャンネル数とメモリに記憶されたデジタルチャンネル数とを比較する。
【００１３】
アナログチャンネル数がデジタルチャンネル数を超えると判定されたとき、オートクロック実施手段は、オートチャンネルサーチで登録されたチャンネルのうちで時刻情報が含まれる何れかのチャンネルでのアナログ放送信号に含まれる時刻情報に従ってタイマ部の時刻設定を行うためのオートクロックを実施する。これにより、タイマ部には、現在の時刻が設定される。
【００１４】
アナログチャンネル数がデジタルチャンネル数未満であると判定されたとき、オートクロック実施手段は、オートチャンネルサーチで登録されたチャンネルのうちで時刻情報が含まれる何れかのチャンネルでのデジタル放送信号に含まれる時刻情報に従ってタイマ部の時刻設定を行うためのオートクロックを実施する。これにより、タイマ部には、現在の時刻が設定される。また、アナログチャンネル数とデジタルチャンネル数とが同じであると判定されたとき、アナログ放送信号またはデジタル放送信号に含まれる時刻情報に従ってタイマ部の時刻設定を行うためのオートクロックが実施され、タイマ部には、現在の時刻が設定される。
【００１５】
この構成によれば、アナログ放送のみか、デジタル放送のみか、アナログ放送が多いか、デジタル放送が多いかの地域の放送状況に応じて、タイマ部の時刻設定を行うためのオートクロックを実施することができるので、ユーザは、アナログ放送でオートクロックを実施するか、デジタル放送でオートクロックを実施するかの選択操作をする必要がなくなり、使い勝手が向上する。
【００１６】
請求項２の発明では、請求項１の発明において、アナログ放送におけるタイマ部の時刻設定は、オートチャンネルサーチで登録されたチャンネルのうちで時刻情報が含まれる何れかのチャンネルでのアナログ放送信号に含まれる時刻情報に従って行われるので、アナログ放送におけるタイマ部の時刻設定が可能になる。
【００１７】
請求項３の発明では、請求項１の発明において、デジタル放送におけるタイマ部の時刻設定は、オートチャンネルサーチで登録されたチャンネルのうちで時刻情報が含まれる何れかのチャンネルでのデジタル放送信号に含まれる時刻情報に従って行われるので、デジタル放送におけるタイマ部の時刻設定が可能になる。
【発明の効果】
【００１８】
以上のように本発明によれば、アナログ放送のみか、デジタル放送のみか、アナログ放送が多いか、デジタル放送が多いかの地域の放送状況に応じて、タイマ部の時刻設定を行うためのオートクロックを実施することができるので、ユーザは、アナログ放送でオートクロックを実施するか、デジタル放送でオートクロックを実施するかの選択操作をする必要がなくなり、使い勝手が向上する。
【発明を実施するための最良の形態】
【００１９】
以下、添付図面を参照しつつ、本発明の実施の形態について説明する。図１は本発明の一実施形態に係る放送受信装置を搭載したテレビジョン受像機の構成を示すブロック図である。ここでは、本発明の放送受信装置をテレビジョン受像機に搭載した構成について説明するが、これに限らず、本発明の放送受信装置をＤＶＤレコーダやハードディスクレコーダなどの情報記録再生機器に搭載しても良い。
【００２０】
図１において、テレビジョン受像機１は、放送受信装置Ａを搭載している。放送受信装置Ａは、ＢＳ（放送衛星）／ＣＳ（通信衛星）デジタル放送受信用のアンテナ２に接続された入力端子３と、この入力端子３に接続されたＢＳ／ＣＳチューナ４と、このＢＳ／ＣＳチューナ４に接続されたＰＳＫ（Phase Shift Keying；位相変調）復調器５と、このＰＳＫ復調器５に接続された信号処理部６と、地上デジタル放送受信用のアンテナ７に接続された入力端子８、この入力端子８に接続された地上デジタル放送受信用のチューナ（以下、デジタルチューナと言う）９と、この地上デジタル放送受信用のデジタルチューナ９および信号処理部６に接続したＯＦＤＭ（Orthogonal Frequency Division Multiplexing；直交周波数分割多重）復調器１０と、信号処理部６に接続されたグラフィック処理部１１と、信号処理部６に接続された音声処理部１２と、グラフィック処理部１１に接続されたＯＳＤ（On Screen Display ）信号処理部１３とを備えている。テレビジョン受像機１には、グラフィック処理部１１に接続された映像処理部１４を備えている。
【００２１】
また、放送受信装置Ａは、演算処理や制御を行うＣＰＵ１５、このＣＰＵ１５が実行する制御プログラムを記憶したＲＯＭ１６、ＣＰＵ１５の動作に必要なデータを一時的に格納するＲＡＭ１７、各種の設定情報および制御情報を記憶した不揮発性メモリ１８を有し、テレビジョン受像機１の全体を制御する制御部１９と、入力端子８に接続されたアナログ放送用のチューナ（以下、アナログチューナと言う）２０と、このアナログ放送用のアナログチューナ２０および信号処理部６に接続されたアナログ復調器２１と、制御部１９に接続されたタイマ部２２と、このタイマ部２２に電源供給を行うバックアップ電源２３とを備えている。
【００２２】
アンテナ２としては、通常、パラボラアンテナが用いられ、アンテナ７としては、地上波受信用の例えば、八木アンテナが用いられる。ＢＳ／ＣＳチューナ４は、衛星デジタル放送受信用であり、制御部１９の制御によって選局を行い、衛星デジタルテレビジョン放送信号を受信する。ＰＳＫ復調器５は、衛星デジタルテレビジョン放送信号をデジタルの映像信号と音声信号に復調する。
【００２３】
デジタルチューナ９は、地上デジタル放送受信用のチューナであり、制御部１９の制御によって選局を行い、地上デジタルテレビジョン放送信号を受信する。ＯＦＤＭ復調器１０は、地上デジタルテレビジョン放送信号をデジタルの映像信号と音声信号に復調する。
【００２４】
アナログチューナ２０は、従来からのアナログ放送受信用のチューナであり、制御部１９の制御によって選局を行い、アナログテレビジョン放送信号を受信する。アナログ復調器２１は、アナログテレビジョン放送信号をアナログによる映像信号と音声信号に復調する。
【００２５】
信号処理部６は、ＰＳＫ復調器５から供給されたデジタルの映像信号および音声信号と、ＯＦＤＭ復調器１０から供給されたデジタルの映像信号および音声信号とに対して、選択的に所定のデジタル信号処理を施し、グラフィック処理部１１および音声処理部１２へ出力する。また、信号処理部６は、アナログ復調器２１による復調信号をデジタル化し、それぞれの結果をグラフィック処理部１１および音声処理部１２へ出力する。
【００２６】
グラフィック処理部１１は、信号処理部６からのデジタルの映像信号に、ＯＳＤ信号生成部１３で生成されたＯＳＤ信号を重畳して出力する。また、グラフィック処理部１１は、信号処理部６からの映像信号とＯＳＤ信号生成部１３からのＯＳＤ信号を選択的に出力し、あるいは両方からの出力画面が半分づつを占めるように出力する。
【００２７】
テレビジョン受像機１の音声処理部１２は、信号処理部６からのデジタルによる音声信号を、テレビジョン受像機１のスピーカ２４が音声化可能なアナログ音声信号に変換すると共に、そのアナログ音声信号を増幅して出力する。テレビジョン受像機１の映像処理部１２は、グラフィック処理部１１からのデジタル映像信号を、テレビジョン受像機１の映像表示器２５が表示可能なフォーマットのアナログ映像信号に変換して映像表示器２５へ出力する。
【００２８】
制御部１９は、操作部２６からの操作信号を受け、またはリモコン（リモートコントローラ）２７からの赤外線の操作信号を受光部２８を介して受信し、その操作信号を反映した制御を行う。タイマ部２２は、例えば、水晶発振回路、分周回路などにより基準クロック信号を生成し、この基準クロック信号に基づいて時刻情報を生成するリアルタイムクロック機能、単独で動作をする自走機能、および外部から時刻情報を更新できる機能（アナログ放送信号またはデジタル放送信号に含まれる時刻情報に従ってタイマ部２２が計時している現在時刻の更新機能）を有している。このタイマ部２２は、電源オフ時には、バックアップ電源２３を電源にして動作し、テレビジョン受像機１が電源オフになっても時計動作を継続する。
【００２９】
制御部１９のＣＰＵ１５は、アナログチューナ２０へのチャンネル登録をオートチャンネルサーチで行うアナログチャンネル登録手段と、デジタルチューナ９へのチャンネル登録をオートチャンネルサーチで行うデジタルチャンネル登録手段と、前記登録されるアナログチャンネル数をカウントして不揮発性メモリ１８に記憶させるアナログチャンネル数記憶手段と、前記登録されるデジタルチャンネル数をカウントして不揮発性メモリ１８に記憶させるデジタルチャンネル数記憶手段と、不揮発性メモリ１８に記憶されたアナログチャンネル数と不揮発性メモリ１８に記憶されたデジタルチャンネル数とを比較するチャンネル数比較手段と、前記比較により、不揮発性メモリ１８に記憶されたアナログチャンネル数が不揮発性メモリ１８に記憶されたデジタルチャンネル数を超えると判定されたとき、アナログ放送信号に含まれる時刻情報に従ってタイマ部２２の時刻設定を行うためのオートクロックを実施し、タイマ部２２に記憶されたアナログチャンネル数が不揮発性メモリ１８に記憶されたデジタルチャンネル数未満であると判定されたとき、デジタル放送信号に含まれる時刻情報に従ってタイマ部２２の時刻設定を行うためのオートクロックを実施し、不揮発性メモリ１８に記憶されたアナログチャンネル数と不揮発性メモリ１８に記憶されたデジタルチャンネル数とが同じであると判定されたとき、アナログ放送信号またはデジタル放送信号に含まれる時刻情報に従ってタイマ部２２の時刻設定を行うためのオートクロックを実施するオートクロック実施手段との機能を有する。
【００３０】
次に、テレビジョン受像機１の全体の動作について説明する。ユーザが、操作部２６またはリモコン２７の電源キーを押下すると、テレビジョン受像機１の電源がオンになる。テレビジョン受像機１の購入後の設置、電源コードを抜いたまま長時間放置した後などにおいて電源を投入したとき、リモコン２７などを用いてユーザが時刻情報を設定した場合、この時刻情報を制御部１９によりＲＡＭ１７に格納し、この時刻情報を読み出してタイマ部２３への時刻設定を実施する。以後、タイマ部２３は、自走して計時を続けるが、ＢＳ／ＣＳチューナ４、またはデジタルチューナ９により受信されたデジタル放送信号に含まれる時刻情報、またはアナログチューナ２０により受信されたアナログ放送信号に含まれる時刻情報を得ることにより、現在時刻が正しくなるように更新する。
【００３１】
ここで、ユーザがリモコン２７を操作して、ＢＳ／ＣＳデジタル放送、地上デジタル放送、またはアナログ放送の一つを選択すると、この選択に応じて、制御部１９は、チューナ４，９，２０の内の対応する一つを動作状態にする。例えば、ＢＳ／ＣＳデジタル放送が選択された場合は、アンテナ２で受信したデジタルテレビジョン放送信号は、ＢＳ／ＣＳチューナ４に入力される。ユーザが所望のチャンネルを選択すると、そのチャンネルの放送信号はＰＳＫ復調器５に入力される。ＰＳＫ復調器５は、デジタルの映像信号とデジタルの音声信号とデータ信号に復調した後、この復調信号を信号処理部６へ出力する。
【００３２】
また、アンテナ７で受信した地上デジタルおよびアナログのテレビジョン放送信号は、デジタルチューナ９およびアナログチューナ２０に入力される。デジタルチューナ９で選局された地上デジタル放送信号は、ＯＦＤＭ復調器１０によってデジタルの映像信号とデジタルの音声信号とデータ信号に復調された後、信号処理部６へ出力される。アナログチューナ２０で選局された地上アナログ放送信号は、アナログ復調器２１によってアナログの映像信号とアナログの音声信号とデータ信号に復調された後、信号処理部６へ出力される。
【００３３】
信号処理部６は、受信側からの復調信号に対し、放送系統ごとに映像信号と音声信号に所定のデジタル信号処理を施し、グラフィック処理部１１および音声処理部１２へ出力する。また、信号処理部６は、ＢＳデータ放送または地上波データ放送の情報から時刻情報を抽出し、制御部１９内のＲＡＭ１７に一旦格納する。制御部１９は、自走しているタイマ部２２の時刻情報を読み込み、この時刻情報がデータ放送から入力した時刻情報と比べてずれている場合は、データ放送より得られた時刻情報をＲＡＭ１７より取り出し、タイマ部２２に設定する。即ち、制御部１９は、タイマ部２２により計時されている時刻が正しい現在時刻になるように時刻を修正する。
【００３４】
テレビジョン受像機１の電源がオフされたり、電源コードが引き抜かれた場合、あるいは、降雨、降雪、月食などにより、デジタル放送の電波の受信状態が悪くなったりした場合、デジタル放送側からの時刻情報の入手ができなくなり、タイマ部２２の時刻更新は行われなくなる。電源オフになっても、バックアップ電源２３からタイマ部２２に電源供給が行われ、タイマ部２２は機能を維持する。これにより、時刻情報は更新され、電源オフ後に電源を立ち上げた際、制御部１９は、タイマ部２２より時刻情報を取り込み、ＯＳＤ信号生成部１３へ出力する。ＯＳＤ信号生成部１３は、時刻情報を文字情報に変換してグラフィック処理部１１へ出力する。グラフィック処理部１１は、文字情報を信号処理部６からの映像信号に重畳し、更に映像処理部１４によって色調整が行われる。このようにして得られた映像信号が、映像表示器２５に時刻情報として時計が表示される。
【００３５】
グラフィック処理部１１からのデジタル映像信号は、映像処理部１４によって、映像表示器２５で表示可能なフォーマットのアナログ映像信号に変換された後、映像表示器２５に入力される。また、音声処理部１２では、信号処理部６からのデジタルによる音声信号をアナログの音声信号に変換し、このアナログの音声信号によりスピーカ２４を駆動させ、スピーカ２４から音声を出力させる。
【００３６】
図２は本実施形態においてチューナへのチャンネル登録を自動的に行うオートチャンネルサーチの処理を説明するためのフローチャートである。このフローチャートおよび図１を参照してチューナへのチャンネル登録を自動的に行うオートチャンネルサーチの処理について説明する。
【００３７】
本実施形態におけるオートチャンネルサーチは、無線でアナログ放送信号を送信するＮＴＳＣ方式のアナログテレビジョン放送の場合、アナログチューナ２０によりアナログ放送の２〜６９チャンネルの選局を行い、次に、無線でデジタル放送信号を送信するＡＴＳＣ（米国テレビジョン規格委員会）方式のデジタルテレビジョン放送の場合、デジタルチューナ９によりデジタル放送の２〜６９チャンネルの選局を行うものとして説明するが、このようなチャンネルの選局に限ることはない。
【００３８】
なお、オートチャンネルサーチとしては、ケーブルでアナログ放送信号を送信するＮＴＳＣ方式のアナログケーブルテレビジョン放送の場合、アナログチューナ２０によりアナログ放送の１〜１２５チャンネルの選局を行い、次に、ケーブルでデジタル放送信号を送信するＡＴＳＣ方式のデジタルケーブルテレビジョン放送の場合、デジタルチューナ９によりデジタル放送の１〜１２５チャンネルの選局を行うものもある。
【００３９】
先ず、リモコン２７により、セットアップメニュー画面を映像表示器２５に表示させるための操作が行われると、制御部１９は、ＲＯＭ１６からセットアップメニュー画面データを読み出すことにより、映像表示器２５にセットアップメニュー画面を表示させる（ステップＳ１）。そして、制御部１９は、セットアップメニュー画面に表示された項目の中からオートチャンネルサーチの項目が、リモコン２７の操作により、選択され決定されたことを検知すると（ステップＳ２）、ＲＯＭ１６からオートチャンネルサーチに関する設定画面データを読み出すことにより、設定画面を映像表示器２５に表示させる（ステップＳ３）。
【００４０】
そして、制御部１９は、オートチャンネルサーチ開始操作がされたことを検知すると（ステップＳ４）、アナログチューナ２０を選局動作させ、オートチャンネルサーチを開始する（ステップＳ５）。即ち、制御部１９におけるＣＰＵ１５のアナログチャンネル登録手段は、アナログチューナ２０へのチャンネル登録をオートチャンネルサーチで行うことを開始する。そして、前記アナログチャンネル登録手段は、アナログチューナ２０が、例えばアナログ放送の２〜６９チャンネルを選局するように制御し（ステップＳ６）、該当するアナログ放送局が有れば（ステップＳ７）、そのアナログ放送局のチャンネルを不揮発性メモリ１８に登録する（ステップＳ８）。
【００４１】
このようにして、アナログ放送局に対するオートチャンネルサーチが終了すると（ステップＳ９）、制御部１９におけるＣＰＵ１５のデジタルチャンネル登録手段は、デジタルチューナ９へのチャンネル登録をオートチャンネルサーチで行う。そして、前記デジタルチャンネル登録手段は、デジタルチューナ９が、例えば、デジタル放送の２〜６９チャンネルを選局するように制御し（ステップＳ１０）、該当するデジタル放送局が有れば（ステップＳ１１）、そのデジタル放送局のチャンネルを不揮発性メモリ１８に登録する（ステップＳ１２）。このような処理により、デジタル放送局に対するオートチャンネルサーチが終了すると（ステップＳ１３）、本オートチャンネルサーチに関する処理は終了する。
【００４２】
図３は本実施形態においてオートクロックを実施するまでの処理を説明するためのフローチャートである。このフローチャートおよび図１、図２を参照してオートクロックを実施するまでの処理について説明する。
【００４３】
制御部１９におけるＣＰＵ１５のアナログチャンネル数記憶手段は、図２に示すステップＳ８において登録されるアナログチャンネル数をカウントして不揮発性メモリ１８に記憶させる（ステップＮ１）。そして、アナログ放送局に対するオートチャンネルサーチが終了すると（ステップＮ２）、ＣＰＵ１５のデジタルチャンネル数記憶手段は、図２に示すステップＳ１２において登録されるデジタルチャンネル数をカウントして不揮発性メモリ１８に記憶させる（ステップＮ３）。
【００４４】
そして、デジタル放送局に対するオートチャンネルサーチが終了すると（ステップＮ４）、ＣＰＵ１５のチャンネル数比較手段は、不揮発性メモリ１８に記憶されたアナログチャンネル数（Ａｃｈ数）が不揮発性メモリ１８に記憶されたデジタルチャンネル数（Ｄｃｈ数）以上であるか否かを判定する（ステップＮ５）。アナログチャンネル数（Ａｃｈ数）がデジタルチャンネル数（Ｄｃｈ数）以上であると判定されたとき、ＣＰＵ１５のオートクロック実施手段は、オートチャンネルサーチで登録されたチャンネルのうちで時刻情報が含まれる何れかのチャンネルでのアナログ放送信号に含まれる時刻情報に従ってタイマ部２２の時刻設定を行うためのオートクロックを実施する（ステップＮ６）。これにより、タイマ部２２には、現在の時刻が設定される。
【００４５】
なお、不揮発性メモリ１８に記憶されたアナログチャンネル数（Ａｃｈ数）が不揮発性メモリ１８に記憶されたデジタルチャンネル数（Ｄｃｈ数）以上であるか否かの判定では、不揮発性メモリ１８に記憶されたアナログチャンネル数（Ａｃｈ数）と不揮発性メモリ１８に記憶されたデジタルチャンネル数（Ｄｃｈ数）とが同じであるか否かの判定も含まれ、アナログチャンネル数（Ａｃｈ数）とデジタルチャンネル数（Ｄｃｈ数）とが同じであるときは、オートチャンネルサーチで登録されたチャンネルのうちで時刻情報が含まれる何れかのチャンネルでのアナログ放送信号に含まれる時刻情報に従ってタイマ部２２の時刻設定を行うためのオートクロックを実施したが、オートチャンネルサーチで登録されたチャンネルのうちで時刻情報が含まれる何れかのチャンネルでのデジタル放送信号に含まれる時刻情報に従ってタイマ部２２の時刻設定を行うためのオートクロックを実施しても良い。
【００４６】
アナログチャンネル数（Ａｃｈ数）がデジタルチャンネル数（Ｄｃｈ数）未満であると判定されたとき、ＣＰＵ１５のオートクロック実施手段は、オートチャンネルサーチで登録されたチャンネルのうちで時刻情報が含まれる何れかのチャンネルでのデジタル放送信号に含まれる時刻情報に従ってタイマ部２２の時刻設定を行うためのオートクロックを実施する（ステップＮ７）。これにより、タイマ部２２には、現在の時刻が設定される。
【００４７】
以上説明したように本実施形態によれば、アナログ放送のみか、デジタル放送のみか、アナログ放送が多いか、デジタル放送が多いかの地域の放送状況に応じて、タイマ部の時刻設定を行うためのオートクロックを実施することができるので、ユーザは、アナログ放送でオートクロックを実施するか、デジタル放送でオートクロックを実施するかの選択操作をする必要がなくなり、使い勝手が向上する。例えば、北米向けのテレビジョン受像機やＤＶＤレコーダなどのように、アナログチューナおよびデジタルチューナが搭載されている電子機器において、オートクロックによる時刻情報を取得するチャンネルを、アナログ放送から取得するか、デジタル放送から取得するかを自動で判別でき、ユーザにとっては使い勝手が向上する。
【産業上の利用可能性】
【００４８】
本発明は、テレビジョン受像機、ＤＶＤレコーダ、ハードディスクレコーダなどのタイマ部に対する時刻設定の機能に利用可能である。
【図面の簡単な説明】
【００４９】
【図１】本発明の一実施形態に係る放送受信装置を搭載したテレビジョン受像機の構成を示すブロック図である。
【図２】前記実施形態においてチューナへのチャンネル登録を自動的に行うオートチャンネルサーチの処理を説明するためのフローチャートである。
【図３】前記実施形態においてオートクロックを実施するまでの処理を説明するためのフローチャートである。
【符号の説明】
【００５０】
Ａ    放送受信装置
９    デジタルチューナ
１５    ＣＰＵ（アナログチャンネル登録手段、デジタルチャンネル登録手段、アナログチャンネル数記憶手段、デジタルチャンネル数記憶手段、チャンネル数比較手段、オートクロック実施手段）
１８    不揮発性メモリ（メモリ）
２０    アナログチューナ
２２    タイマ部
【図１】
2009077229.tif 000003
【図２】
2009077229.tif 000004
【図３】
2009077229.tif 000005